(57)【要約】      （修正有）【課題】装着及び脱着が容易な自動車の加飾カバーを提供する。【解決手段】自動車の加飾カバー１は、自動車の被保護部品の外表面全体を覆いそして該被保護部品の外周縁よりその裏面側に適当な幅回り込み得る大きさを有する伸縮性シートからなる加飾カバー本体２と、加飾カバー本体２の端縁のほぼ全周において形成されたギャザー通し袋部３と、ギャザー通し袋部３の中に挿通され、同通し袋部３を伸縮自在にするように取り付けられた弾性体紐５と、加飾カバー本体２の表面に施された、印刷層７、塗膜、刺繍またはこれらの組合せからなる装飾材とを備えてなる。【選択図】図１
0003214879.tif 000002
【実用新案登録請求の範囲】
【請求項１】
自動車の被保護部品の外表面全体を覆いそして該被保護部品の外周縁よりその裏面側に適当な幅回り込み得る大きさを有する伸縮性シートからなる加飾カバー本体と、
該加飾カバー本体の端縁のほぼ全周において形成されたギャザー通し袋部と、
該ギャザー通し袋部の中に挿通され、同通し袋部を伸縮自在にするように取り付けられた弾性体紐と、
前記加飾カバー本体の表面に施された、印刷層、塗膜、刺繍またはこれらの組合せからなる装飾材とを備えてなる、自動車の加飾カバー。
【請求項２】
前記被保護部品は、自動車のフード、トランクリッド、給油口パネル、ヘッドレスト、シートバック又はシートクッションである、請求項１記載の加飾カバー。
【請求項３】
前記加飾カバー本体の生地が、ポリウレタン弾性繊維、ポリエステル繊維、ポリトリメチレンテレフタレート繊維、サイドバイサイド型ポリエステル繊維、ポリブチレンテレフタレート）とポリエステルのサイドバイサイド型コンジュゲート繊維又はこれらの組合せをからなる群から選択される繊維を含む生地からなる、請求項１又は請求項２に記載の加飾カバー。
【考案の詳細な説明】
【技術分野】
【０００１】
本考案は自動車の被保護部品に着脱容易な加飾カバーに関する。詳しくは、自動車の外面材及び自動車の内装部品に着脱容易な加飾カバーに関する。
【背景技術】
【０００２】
従来、自動車外表面の加飾手段として、自動車の外表面を塗装する方法、又は自動車の外表面にプリントシールを貼る方法が知られている。
また従来、営業車等を用いた宣伝活動の一環として自動車外表面に企業名称或いは宣伝広告の標章やメッセージを塗装したり、それらを印刷したプリントシールを貼ったりすることが行われている。
【考案の概要】
【考案が解決しようとする課題】
【０００３】
自動車外表面を塗装する方法にあっては、ペンキによる塗装又は電着塗装を為し次いで乾燥させる工程を、使用するインクの色及び種類ごとに繰り返すため完成までに時間がかかるという問題がある。
また、自動車表面にプリントシールを貼る方法にあっては、しわが寄ったり、気泡が生じたりして美観を損なう恐れがある。また、車種により自動車外面の形状が異なるので、自分の車種に合わせたプリントシールを個別に作製する必要があった。
また、加飾された外表面に新たな加飾を施す場合、塗装された塗膜を全て落す或いは貼付けされたプリントシールを剥がしたりする必要がある。この際、時として、自動車本体の表面塗装の一部が剥がれてしまう或いは表面が傷付いてしまう虞があり、その場合、自動車表面の再塗装が必要となる。そのため、塗装やプリントシールの変更には時間と費用が掛かるという問題があった。
したがって、短期間で、例えば昼夜の時間帯により宣伝広告や装飾の内容を変えることは事実上困難なことであった。
このように、従来、着脱容易で、宣伝広告や装飾を容易に変更できる自動車部品の加飾方法の要求があった。
本考案の目的は、装着及び脱着が容易な自動車外面の加飾カバーを提供することにある。
【課題を解決するための手段】
【０００４】
本考案者らは、上記目的を達成するために鋭意研究を重ねた結果、ボンネット等の被保護部品に被せる伸縮性の加飾カバー本体と、被せられた加飾カバー本体を被保護部品に着脱容易に固定する手段とを備えることにより、容易に自動車部品の加飾を為すことできることを見出し、本考案を完成させた。
即ち、本考案は、自動車の被保護部品の外表面全体を覆いそして該被保護部品の外周縁よりその裏面側に適当な幅回り込み得る大きさを有する伸縮性シートからなる加飾カバー本体と、
該加飾カバー本体の端縁のほぼ全周において形成されたギャザー通し袋部と、
該ギャザー通し袋部の中に挿通され、同通し袋部を伸縮自在にするように取り付けられた弾性体紐と、
前記加飾カバー本体の表面に施された、印刷層、塗膜、刺繍またはこれらの組合せからなる装飾材とを備えてなる、自動車の加飾カバーに関する。
【考案の効果】
【０００５】
本考案によれば、自動車のボンネット等を修飾する加飾カバー本体が伸縮性シートで形
成されてなるので、様々な形状の車種に共通して使用することができる加飾カバーを提供できる。
また、本考案によれば、加飾カバー本体の端縁全周に形成されたギャザー通し袋部に弾性体紐を挿通し、該袋部を伸縮自在に取付ける構成としたことにより、ギャザー通し袋部を伸ばした状態で自動車外面の被保護部品に覆い被せるだけで被保護部品体に容易に装着できる加飾カバーを提供できる。
また、ギャザー通し袋部を伸ばすことにより、加飾カバーを被保護部品から容易に取り外すことが可能な加飾カバーを提供できる。
また、本考案によれば、印刷、塗装、刺繍又はこれらを組合わせた装飾材の自由度及び多様性は高いので、種々の加飾カバーを適時取り換えることにより、自由な加飾を楽しむことができる。
【図面の簡単な説明】
【０００６】
【図１】図１（ａ）は実施例１の加飾カバーの裏面概略図であり、図１（ｂ）は実施例１の加飾カバーの表面概略図であり、図１（ｃ）は実施例１の加飾カバーの斜視図である。
【図２】図２（ａ）は自動車のフードに実施例１の加飾カバーが装着された自動車の概略図であり、図２（ｂ）は実施例１の加飾カバーを被せたフードを開けた状態の自動車の概略図である。
【図３】図３は、自動車の給油口パネルに実施例２の加飾カバーが装着され、及び自動車のトランクリッドに実施例３の加飾カバーが装着された自動車の概略図である。
【図４】図４は、自動車内のヘッドレスト、シートバック及びシートクッションに実施例４の加飾カバーが装着された自動車用シートの図である。
【０００７】
本考案は、自動車の被保護部品の外表面全体を覆いそして該被保護部品の外周縁よりその裏面側に適当な幅回り込み得る大きさを有する伸縮性シートからなる加飾カバー本体と、
該加飾カバー本体の端縁のほぼ全周において形成されたギャザー通し袋部と、
該ギャザー通し袋部の中に挿通され、同通し袋部を伸縮自在にするように取り付けられた弾性体紐と、
前記加飾カバー本体の表面に施された、印刷層、塗膜、刺繍またはこれらの組合せからなる装飾材とを備えてなる、自動車の加飾カバーに関する。
【０００８】
被保護部品としては、本考案の加飾カバーを着脱可能な自動車の外側から視認できる部品であればよい。例えば、自動車のフード、ルーフ、ドアパネル、バンパー、給油口パネル、トランクリッド、リアゲート等の自動車の外面材、並びにルームミラー、ハンドル、シートのヘッドレスト、シートバック若しくはシートクッション等の自動車の内装部品に使用でき、好ましくは、自動車のフード、トランクリッド、給油口パネル、ヘッドレスト、シートバック、シートクッションである。
【０００９】
また、上記伸縮性シートは、自動車の被保護部品への加飾カバーの装着の際に、加飾カバー本体が伸長して加飾カバーを被保護部品に覆い被せやすくでき、そして加飾カバーを被保護部品に装着した後、加飾カバー装着の際に伸長した生地が収縮することで被保護部品の外表面全体に密着して、加飾カバーにしわやよれを生じさせずに見た目よく加飾カバーを装着できるような生地であればよい。
伸縮性シートとしては、例えば、ポリウレタン弾性繊維、ポリエステル繊維、ポリトリメチレンテレフタレート繊維、サイドバイサイド型ポリエステル繊維、ポリブチレンテレフタレート）とポリエステルのサイドバイサイド型コンジュゲート繊維又はこれらの組合せをからなる群から選択される繊維を含む生地が挙げられる。
【００１０】
また、加飾カバー本体は、被保護部品の外表面全体を覆いそして該被保護部品の外周縁
よりその裏面側に適当な幅回り込み装着される。裏面側に回り込む幅としては、被保護部品に応じて適宜調節できる。例えば、裏面側に回り込んだ加飾カバー本体が、自動車本体と被保護部品の裏面とに挟持され、車の走行時に、加飾カバーが外れたり、まくれあがったりすることがない幅であればよい。
【００１１】
ギャザー通し袋部は、例えば、加飾カバー本体に使用される伸縮性シートの周縁部を内側に折り返し、該折り返した部分で通し袋部を形成し、その通し袋部に
弾性体紐を挿通し、通し袋部の両端部において弾性体紐を縫着又はヒートシール融着して形成される。弾性体紐を挿通する挿通口から適当な間隔で通し袋部を撚り縫うことで、加飾カバー本体の端縁のほぼ全周においてギャザー通し袋部が設けられる。
【００１２】
ギャザー通し袋部の中に挿通される弾性体紐は、ギャザー通し袋部を伸縮自在にでき、かつ、該加飾カバーを被保護部品に取り付け可能であればよい。弾性体紐の伸びに併せて、上記のギャザー通し袋部も伸びるので、しわやよれが生じたりせずに被保護部品に加飾カバーを容易に装着することができ、また被保護部品から加飾カバーを容易に取り外すことができる。
例えば、弾性体紐は、被保護部品の外周縁の長さよりも短いものであって、被保護部品に加飾カバーを装着した際に、被保護部品の裏側から加飾カバー本体を引張ることにより、該加飾カバー本体が被保護部品の外表面全体をしわやよれなく覆うことを可能とするものが好ましい。この弾性体紐により加飾カバーの通し袋部を伸縮自在にできるので、加飾カバーを大きさや形状の異なる被保護部品に容易に装着でき、そして被保護部品から容易に取り外すことができる。
弾性体紐は特に限定されるものではなく、例えば市販されている天然ゴム、合成ゴム、織ゴム、編ゴム又はジャガード織ゴム等の弾性体紐を使用でき、特に耐熱性のあるものが好ましい。
【００１３】
また、本考案の加飾カバーは、加飾カバー本体に印刷層、塗膜、刺繍又はこれらの組合せからなる装飾材を備えてなる。
印刷層又は塗膜としては、特に限定されることなく、従来行われている一般的な印刷方法で印刷層又は塗膜を設けることができ、例えば加飾カバー本体又はその生地にインキ・塗料・樹脂等をインクジェット、スプレー、バーコート、スクリーン、グラビア、オフセット印刷や、熱転写等によって印刷法又は塗膜を設ければよい。また、加飾カバー本体にプリントシールを貼りつけても良い。
また印刷層又は塗装として、加圧および／または加熱、溶剤処理、レーザー照射、彫刻等の各方法によってエンボス加工等を行ったものを使用することもできる。また、夜間でも印刷層又は塗装を表示するために、塗料として夜光・蓄光塗料を使用することもできる。  また、印刷層又は塗膜には加飾カバー本体との密着性を上げるための接着剤層（感圧性接着剤層、感熱性接着剤層等）、アンカーコート層若しくはプライマーコート層、印刷層又は塗膜の発色を良好にするための白地層若しくは隠蔽層、印刷又は塗膜を保護するための保護層若しくはコーティング層等、又はこれらの組合せた層を設けることもできる。
刺繍としては、特に限定されるものではなく、従来行われている一般的な手刺繍、機械刺繍、パンチニードル等の刺繍方法を使用でき、例えば、フランス刺繍、リュネヴィル刺繍、リボン刺繍、中国刺繍、スーザニ刺繍、日本刺繍、絽刺し、東京文化刺繍、刺し子、キルティング、クロスステッチ、プチポワン又はこれらを組み合わせた刺繍方法を用いることができる。
【００１４】
本考案の加飾カバーは、ギャザー通し袋部を伸ばしながら加飾カバー本体の周縁部を被保護部品の裏側に回り込むように自動車の被保護部品に被せ、被保護部品の表面上に加飾カバーをしわやよれが生じない様に装着することで、被保護部品に容易に装着でき、そしてまた逆の操作手順により装着された加飾カバーを容易に取り外すことができる。
被保護部品が自動車のフード、トランクリッド、給油口パネル等の開閉可能なものについては、加飾カバーの装着後に被保護部品を閉めることにより被保護部品の裏側に回り込んだ加飾カバー本体の端縁部が自動車の被保護部品と本体との間に挟持され固定できる。
【実施例】
【００１５】
以下、本考案の加飾カバーの実施例を図面を参照しながら説明するが、本考案の技術範囲はこれら実施形態によって限定されるものではなく、考案の要旨を変更することなく様々な形態で実施することができる。
【００１６】
［実施例１］
図１は自動車のフード用に製造された加飾カバー１で、ポリウレタン弾性繊維からなる伸縮性シートにより自動車のフードの形状に合わせて製造されたものである。
伸縮性シートの表面にＡＢＣの文字（印刷層６）を印刷した。次いで伸縮性シートを、自動車のフードより大きく、フードに被せたときにその裏側へ回り込み得る幅（回り込み代６）及びギャザー通し袋部３となる縫代を設けた大きさとし、そして伸縮性シートの端縁を内側に折り返し、該折り返した部分を撚り縫って加飾カバー本体２及びギャザー通し袋部３を形成した。次いでギャザー通し袋部３の端部のゴム紐の挿通口４からゴム紐５を挿通し、ギャザー通し袋部３の両端部においてゴム紐５を縫着して自動車のフード用加飾カバー１を製造した。
自動車のフード１８を開き、フード１８の一方の側辺を覆うように加飾カバー本体１２を引っかけ、ギャザー通し袋部１３を伸ばし加飾カバー本体１１をフード１８全体に被せ、加飾カバー本体１２を引張って表面に生じたしわやよれを取除き（図２（ｂ）参照）、フードを閉じて加飾カバー本体１２をフードに装着した（図２（ａ）参照）。このとき、フードカバーの裏面側に約５ｃｍ幅の本体カバー本体１２が回り込んで、フードを閉じた際には、加飾カバー本体１２の回り込み代１６がフード１８と自動車本体とに挟持されて固定された。
【００１７】
［実施例２］
図３は自動車の給油口パネル用に製造された加飾カバー２１で、ポリウレタン弾性繊維からなる伸縮性を有する素材により給油口パネルの形状に合わせて製造されたものである。
伸縮性シートの表面にＡＢＣの文字（印刷層２７）を印刷した。次いで伸縮性シートを、自動車の給油口パネルより大きく、給油口パネルに被せたときにその裏側へ回り込み得る幅（回り込み代）及びギャザー袋部となる縫代を設けた大きさとし、そして伸縮性シートの端縁を内側に折り返し、該折り返した部分を撚り縫って加飾カバー本体２２及びギャザー通し袋部を形成した。次いでギャザー通し袋部の端部のゴム紐の挿通口からゴム紐を挿通し、ギャザー通し袋部の両端部においてゴム紐を縫着して自動車の給油口パネル用加飾カバー２１を製造した。
給油口パネルを開き、ギャザー通し袋部を伸ばして加飾カバー本体２２を給油口パネルに被せ、加飾カバー本体２２を引張って表面に生じたしわやよれを取除き、給油口パネルを閉じて給油口パネルに給油口パネル用加飾カバー２１を装着した。このとき、給油口パネルの裏面側に約３ｃｍの幅で本体カバーシートが回り込んで、給油口パネルを閉じた際には、加飾カバー本体２２の回り込み代が給油口パネルと自動車本体に挟持されて固定された。
【００１８】
［実施例３］
図３は自動車のトランクリッド用に製造された加飾カバーで、ポリウレタン弾性繊維からなる伸縮性を有する素材によりトランクリッドの形状に合わせて夫々製造されたものである。
伸縮性シートを、自動車のトランクリッドより大きく、トランクリッドに被せたときに
その裏側へ回り込み得る幅（回り込み代）及びギャザー袋部となる縫代を設けた大きさとした以外は、実施例１の自動車のフード用加飾カバーと同様に、自動車のトランクリッド用加飾カバー３１を製造した。実施例１と同様に、自動車のトランクリッドを開き、トランクリッドの一方の側辺を覆うように加飾カバー本体３２を引っかけ、通し袋部を伸ばして加飾カバー本体３２をトランクリッド全体に被せ、加飾カバー本体を引張って表面に生じたしわやよれを取除き、トランクリッドを閉じてトランクリッド用加飾カバー３１を自動車のトランクリッドに装着した。このとき、トランクリッドの裏面側に約５ｃｍの幅で本体カバー本体３２が回り込んで、トランクリッドを閉じた際には、加飾カバー本体３２の回り込み代がトランクリッドと自動車本体に挟持されて固定された。
【００１９】
［実施例４］
図４は自動車のシート用に製造された加飾カバーで、ポリウレタン弾性繊維からなる伸縮性を有する素材によりシートのヘッドレスト、シートバック及びシートクッションの形状に合わせて夫々製造されたものである。
伸縮性シートの表面にＡＢＣの文字（印刷層４７、５７、６７）を印刷し、次いで伸縮性シートを、夫々自動車のシートのヘッドレスト、シートバック及びシートクッションより大きく、夫々の部品の厚さ、被せたときにその裏側へ回り込み得る幅（回り込み代）及びギャザー袋部となる縫代を設けた大きさとし、そして伸縮性シートの端縁を内側に折り返し、該折り返した部分を撚り縫って加飾カバー本体４２、５２、６２及びギャザー通し袋部を形成した。次いでギャザー通し袋部の端部のゴム紐の挿通口からゴム紐を挿通し、ギャザー通し袋部の両端部においてゴム紐を縫着して自動車のシートのヘッドレスト用加飾カバー４１、シートバック用加飾カバー５１及びシートクッション用加飾カバー６１を製造した。
夫々、通し袋部を伸ばして加飾カバー本体４２、５２、６２を夫々自動車のシートのヘッドレスト、シートバック及びシートクッションに被せて装着した。このとき、フードカバーの裏面側に約１０ｃｍの幅で加飾カバー本体が回り込んで、加飾カバー４１、５１、６１が自動車のヘッドレスト、シートバック及びシートクッションに装着された。
【符号の説明】
【００２０】
１、１１、２１、３１、４１、５１、６１  加飾カバー
２、１２、２２、３２、４２、５２、６２  加飾カバー本体
３  ギャザー通し袋部
４  弾性体紐の挿通口
５  弾性体紐
６  回り込み代
７、１７、２７、３７、４７、５７、６７  印刷層
１８  フード
【図１】
0003214879.tif 000003
【図２】
0003214879.tif 000004
【図３】
0003214879.tif 000005
【図４】
0003214879.tif 000006